(57)【要約】【課題】  本発明は、自動原稿搬送装置で１枚ずつ搬送される原稿から読み取った画像のプレビュー及び画質調整が原稿の画像を再読み取りすることなく繰り返し行うことができる画像読取装置および画像読取方法を提供する。【解決手段】  自動原稿搬送手段で１枚ずつ搬送される原稿から画像を読み取る画像読取手段と、画像読取手段で読み取った画像を画質パラメータ値に基づき画質調整する画像調整手段と、画質調整された画像情報を指定された装置に転送する転送手段と、転送された画質調整前の画像情報を保持する保持手段と、指定された装置から画像情報に基づく画像の判定結果を受信する受信手段と、受信した判定結果に基づき画像調整手段の画質パラメータ値を再設定する設定手段と、再設定された画質パラメータ値に基づき画像調整手段により保持手段で保持された画像を含めて以後に画像読取手段で読み取った画像を順次画質調整して出力する出力手段とを具備する。【選択図】  図２
2008135843.tif 000002
【特許請求の範囲】
【請求項１】
原稿を１枚ずつ搬送する自動原稿搬送手段と、
前記自動原稿搬送手段で搬送される原稿から画像を読み取る画像読取手段と、
前記画像読取手段で読み取った画像を予め設定された画質パラメータ値に基づき画質調整する画像調整手段と、
前記画像調整手段で画質調整された画像に対応する画像情報を指定された装置に転送する転送手段と、
前記画像調整手段による画質調整前の前記転送手段で転送した画像情報に対応する画像を保持する保持手段と、
前記指定された装置から前記画像情報に基づく画像の判定結果を受信する受信手段と、
前記受信手段で受信した判定結果に基づき前記画像調整手段の画質パラメータ値を再設定する設定手段と、
前記設定手段で再設定された画質パラメータ値に基づき前記画像調整手段で前記保持手段で保持された画像を含めて以後に前記画像読取手段で読み取った画像を順次画質調整して出力する出力手段と
を具備する画像読取装置。
【請求項２】
前記設定手段は、
前記指定された装置からの判定結果が前記画質パラメータ値の再設定を要しない場合は、前記画質パラメータ値の再設定を行わない請求項１記載の画像読取装置。
【請求項３】
前記転送手段は、
前記画像調整手段により画質調整された画像を所定の形式のデータに変換して前記指定された装置に電子メールで転送する請求項１記載の画像読取装置。
【請求項４】
前記受信手段は、
前記指定された装置からアクセス可能なサーバを有し、
前記指定された装置に転送される画像情報は、
前記サーバにアクセスするためのアクセス情報を含む請求項３記載の画像読取装置。
【請求項５】
原稿を自動原稿搬送手段により１枚ずつ搬送し、
前記自動原稿搬送手段で搬送される原稿から画像を画像読取手段により読み取り、
該読み取った少なくととも１枚目の画像を保持手段により保持するとともに、
該保持した画像を予め設定された画質パラメータ値に基づき画質調整して転送手段により指定された装置に転送し、
該記指定された装置から前記画像情報に基づく画像の判定結果を受信手段により受信し、
該判定結果に基づき前記画像調整手段の画質パラメータ値を設定手段により再設定し、、
前記設定手段で再設定された画質パラメータ値に基づき前記画像調整手段で前記保持手段で保持された画像を含めて以後に前記画像読取手段で読み取った画像を順次画質調整して出力手段により出力する画像読取方法。
【発明の詳細な説明】
【技術分野】
【０００１】
本発明は、画像読取装置および画像読取方法に関し、特に、自動原稿搬送装置で搬送される原稿から読み取る画像のプレビュー及び画質調整が原稿の画像を再読み取りすることなく何回でも繰り返し行うことができる画像読取装置および画像読取方法に関する。
【背景技術】
【０００２】
従来、自動原稿搬送装置（以下、「ＡＤＦ」という。）を備えた画像読取装置は、ＡＤＦにセットされた原稿を一枚ずつ一方向に搬送して原稿の画像を読み取るので、読み取った画像のプレビュー及び画質調整を実施しようとすると、読み取った画像の原稿をＡＤＦに再セットするか、または逆搬送させて原稿の画像を再読み取りさせる必要があった。
【０００３】
例えば特許文献１には、ベルト搬送により読み取り原稿台に原稿を搬送するフラットベッド型のＡＤＦにて何度でも同じ原稿をプレビューすることができ、さらに最適な読み取り設定となったら本スキャンにてプレビュー対象の原稿を含めてＡＤＦからの連続読み取りが再開できる画像読取システムが提案されている。
【０００４】
上記特許文献１に示される画像読取システムは、画像を読み取る画像読取部とフラッドベッド型ＡＤＦとを有する画像読取装置と、画像形成装置の制御を行うパソコン（＝ＰＣ）とをネットワークで接続し、ＡＤＦから搬送された原稿の画像のプレビューを実施する場合は、ＡＤＦから搬送された原稿の画像を画像読取部で読み取り後、原稿を排紙しないようにすることで何回でも原稿の画像が読み取れるように構成されたものである。
【特許文献１】特開２００４−１０４３６６号公報
【発明の開示】
【発明が解決しようとする課題】
【０００５】
しかしながら、上記特許文献１に示される画像読取システムでは、パソコン側に画質調整するための専用ソフトが必要であった。
【０００６】
また、繰り返しプレビューを実施するためにはプレビューのたびに原稿の画像を読み取る必要があった。
【０００７】
そこで、本発明は、自動原稿搬送装置で搬送される原稿から読み取る画像のプレビュー及び画質調整を原稿の画像を再読み取りすることなく何回でも繰り返し行うことができる画像読取装置および画像読取方法を提供することを目的とする。
【課題を解決するための手段】
【０００８】
上記目的を達成するため、請求項１の画像読取装置の発明は、原稿を１枚ずつ搬送する自動原稿搬送手段と、前記自動原稿搬送手段で搬送される原稿から画像を読み取る画像読取手段と、前記画像読取手段で読み取った画像を予め設定された画質パラメータ値に基づき画質調整する画像調整手段と、前記画像調整手段で画質調整された画像に対応する画像情報を指定された装置に転送する転送手段と、前記画像調整手段による画質調整前の前記転送手段で転送した画像情報に対応する画像を保持する保持手段と、前記指定された装置から前記画像情報に基づく画像の判定結果を受信する受信手段と、前記受信手段で受信した判定結果に基づき前記画像調整手段の画質パラメータ値を再設定する設定手段と、前記設定手段で再設定された画質パラメータ値に基づき前記画像調整手段で前記保持手段で保持された画像を含めて以後に前記画像読取手段で読み取った画像を順次画質調整して出力する出力手段とを具備することを特徴とする。
【０００９】
また、請求項２の画像読取装置の発明は、請求項１の発明において、前記設定手段は、前記指定された装置からの判定結果が前記画質パラメータ値の再設定を要しない場合は、前記画質パラメータ値の再設定を行わないことを特徴とする。
【００１０】
また、請求項３の発明は、請求項１の発明において、前記転送手段は、前記画像調整手段により画質調整された画像を所定の形式のデータに変換して前記指定された装置に電子メールで転送することを特徴とする。
【００１１】
また、請求項４の画像読取装置の発明は、請求項３の発明において、前記受信手段は、前記指定された装置からアクセス可能なサーバを有し、前記指定された装置に転送される画像情報は、前記サーバにアクセスするためのアクセス情報を含むことを特徴とする。
【００１２】
また、請求項５の画像読取方法の発明は、原稿を自動原稿搬送手段により１枚ずつ搬送し、前記自動原稿搬送手段で搬送される原稿から画像を画像読取手段により読み取り、該読み取った少なくととも１枚目の画像を保持手段により保持するとともに、該保持した画像を予め設定された画質パラメータ値に基づき画質調整して転送手段により指定された装置に転送し、該記指定された装置から前記画像情報に基づく画像の判定結果を受信手段により受信し、該判定結果に基づき前記画像調整手段の画質パラメータ値を設定手段により再設定し、前記設定手段で再設定された画質パラメータ値に基づき前記画像調整手段で前記保持手段で保持された画像を含めて以後に前記画像読取手段で読み取った画像を順次画質調整して出力手段により出力することを特徴とする。
【発明の効果】
【００１３】
本発明の画像読取装置および画像読取方法によれば、原稿から読み取った画像のプレビューを行う場合は、ＡＤＦ（自動原稿搬送装置）より搬送される原稿のうちのプレビュー対象の原稿から読み取った画質調整前の画像を所定の記憶部に記憶保持し、記憶部に保持された画像を用いて画質調整と、そのプレビューを行うので原稿の画像を再読み取りすることなく何回でも繰り返し行うことができる。
【００１４】
また、プレビュー用の画像は、汎用アプリケーションソフトで参照可能な所定のフォーマット形式に変換されて作成されているのでプレビューを行うための専用ソフトを必要としない。
【００１５】
また、プレビュー用の画像は、指定された装置へ転送されるので転送先の装置にプレビュー用の画像を参照する汎用アプリケーションソフトを実装するだけで画像のプレビューが行える。
【００１６】
また、プレビュー用の画像は、プレビュー用に画像品質を抑えて読み取られた画像ではなく、設定された画質パラメータに対応した読み取り画像であるので、画像の品質をより高精度で確認することができるという効果を奏する。
【発明を実施するための最良の形態】
【００１７】
以下、本発明に係わる画像読取装置および画像読取方法の一実施例について添付図面を参照して詳細に説明する。
【００１８】
図１は、本発明に係わる画像読取装置２で構成される画像読取システム１のシステム構成の一例を示す図である。
【００１９】
図１に示すように、画像読取システム１は、画像読取装置２と、クライアントＰＣ（＝パソコン）３と、メールサーバ４とがイントラネット５で接続されて構成されている。
【００２０】
画像読取装置２は、ＡＤＦ（自動原稿搬送装置）２１を備えており、このＡＤＦ２１は、画像読取り指示に基づきＡＤＦ２１の給紙台２２にセットされた原稿２０を画像読取装置２の画像読取部２０２（図２参照）へ１枚ずつ搬送し、画像読取部２０２で原稿２０の画像を読み取らせた後、所定の排出先に排紙する。
【００２１】
また、画像読取装置２は、原稿２０から読み取った画像データを予め登録された送信先へ電子メールで送信する電子メール機能と、読み取った画像の画質をリモートで調整するリモート画質調整機能を備えている。
【００２２】
このリモート画質調整機能は、画像読取装置２で読み取る画像の画質（例えば解像度、色数、明るさ、コントラスト等）の各設定値（画質パラメータ）をリモートで変更し、調整することで画像読取装置２で読み取る画像の画質を調整する。
【００２３】
クライアントＰＣ３は、入力装置、出力装置、記憶装置、中央処理装置等を備えた一般的なコンピュータであり、クライアントＰＣ３には電子メールの作成、編集、送受信等を行うアプリケーションソフトのメーラー３１と、所定のファイル形式で作成された画像データの表示、保存、閲覧等を行うアプリケーションソフトのイメージビューア３２と、Ｗｅｂページの閲覧を行うアプリケーションソフトのＷｅｂブラウザ３３とがインストールされている。
【００２４】
なお、メーラー３１、イメージビューア３２、Ｗｅｂブラウザ３３は、一般に利用されている公知の汎用のアプリケーションソフトである。
【００２５】
メールサーバ４は、電子メールの送受信の制御及び管理を行なうコンピュータであり、電子メールを送信するＳＭＴＰサーバと、送られてきた電子メールを保管し、ユーザからの受信要求に対応するＰＯＰ３サーバとで構成されている。
【００２６】
このように構成された画像読取システム１は、原稿から読み取った画像データのプレビュー及び画質調整を行う場合、画像読取装置２が読み取った画像データを予め登録された送信先の装置（例えばクライアントＰＣ３）へ電子メールで送信し、送信先の装置で当該画像データのプレビュー及びプレビュー結果に応じた画質調整を行い、画質調整された設定値に基づき画像読取装置２がＡＤＦ２１にセットされた残りの原稿２０の画像を読み取るように構成されている。
【００２７】
図２は、画像読取装置２の要部の機能的なブロックを示すブロック図である。
【００２８】
図２に示すように、画像読取装置２は、前述したＡＤＦ２１と、ＡＤＦ制御部２０１と、画像読取部２０２と、画像データ保存部２０３と、画質パラメータ保存部２０４と、画質調整部２０５と、画像ファイル生成部２０６と、埋込みＷｅｂサーバ２０７と、電子メール送信部２０８と、ネットワークＩ／Ｆ部２０９と、ユーザＩ／Ｆ部２１０とを備えている。
【００２９】
ＡＤＦ２１は、前述したようにＡＤＦ２１の給紙台２２にセットされた原稿２０を１枚ずつ画像読取部２０２へ搬送し、画像読取部２０２で原稿の画像を読み取らせた後、所定の排出先に排紙する動作をＡＤＦ制御部２０１の制御に基づき行う。
【００３０】
ＡＤＦ制御部２０１は、画像読み取り指示に基づきＡＤＦ２１の前述した動作制御を行う。
【００３１】
画像読取部２０２は、原稿の表面を光学的に走査して原稿に形成されている画像を読み取り、読み取った画像データを画像読取装置２の画像読取りモードに応じて所定の記憶先に記憶保持する。
【００３２】
なお、画像読取りモードには、画像読取装置２に予め設定されている画質パラメータに基づき原稿の画像を読み取り出力する「通常読取りモード」と、原稿から読み取った画像データのプレビュー及び画質調整に基づき原稿の画像を読み取り出力する「プレビュー読取りモード」とがあり、ユーザが選択指定できるように構成されている。
【００３３】
画像データ保存部２０３は、「プレビュー読取りモード」が選択指定されている場合に画像読取部２０２が原稿から読み取った画像データを記憶保持する。
【００３４】
具体的には、ＡＤＦ２１にセットされた原稿２０のうちのプレビュー対象の原稿（例えば最初に搬送された原稿（１枚目の原稿））から読み取った画像データを記憶保持する。
【００３５】
なお、画像読取装置２には、画像読取部２０２が原稿２０から読み取った画像データを頁単位で一時的に記憶保持する画像メモリを画像データ保存部２０３とは他に備えており、画像データ保存部２０３は、画像読取部２０２がプレビュー対象の原稿から読み取った画像データを記憶保持するメモリまたは記憶領域である。
【００３６】
画質パラメータ保存部２０４は、画像読取装置２で読み取る画像の解像度、色数、明るさ、コントラスト等の各設定値（画質パラメータ）を記憶保持する。
【００３７】
画質調整部２０５は、画像読取部２０２で読み取られた画像データに対して画質パラメータ保存部２０４に保持されている画質パラメータに対応した画像処理を行い、画像処理後の画像データを画像ファイル生成部２０６へ転送する。
【００３８】
画像ファイル生成部２０６は、画質調整部２０５で画質調整された画像データを所定のファイル形式の画像データに変換し、電子メール送信部２０８へ転送する。
【００３９】
なお、所定のファイル形式の画像データとは、イメージビューア３２等の汎用アプリケーションソフトで参照可能なファイル形式の画像データである。
【００４０】
電子メール送信部２０８は、画像ファイル生成部２０６で変換後の画像データを予め作成登録された本文データに添付ファイルとして添付し、予め登録選択された送信先へ電子メールで送信する。
【００４１】
ネットワークＩ／Ｆ部２０９は、画像読取装置２と、画像読取装置２とは他の装置（以下、「外部装置」という。）やイントラネット５と接続された装置（外部装置）との間のデータ信号や制御信号の授受やインタフェース制御を行う。
【００４２】
埋込みＷｅｂサーバ２０７は、画像読取装置２に関する各種情報を蓄積し、イントラネット５を介してＷｅｂブラウザにより画像読取装置２に関する各種情報の閲覧や画像読取装置２に対する指示操作がリモートで行えるように構成されたコンピュータである。
【００４３】
埋込みＷｅｂサーバ２０７に蓄積される各種情報には画質パラメータ保存部２０４に設定されている画質パラメータの変更や画像読取装置２に対する各種指示操作を行う各種指示操作画面、判定入力画面５００（図５参照）にアクセスするための各種情報がある。
【００４４】
ユーザＩ／Ｆ部２１０は、表示画面や操作ボタンを備えており、メッセージを表示したり、ユーザが電子メールアドレスの設定や選択、画像読取装置２の各種設定や指示操作等を行うためのユーザと画像読取装置２とのインタフェース制御を行う。
【００４５】
なお、前述した画像読取りモードの選択指定は、ユーザＩ／Ｆ部２１０に表示される図示せぬメニュー画面で所望のモードを選択して行う。
【００４６】
また、画像読取装置２には、画像読取装置２全体を統括制御する図示せぬ制御部と、前述の各種画面データや各種データ及びプログラム等を記憶保持する図示せぬ記憶部を備えており、画像読取装置２の前述したＡＤＦ２１、各部、埋込みＷｅｂサーバ２０７は、制御部の指示に基づきそれぞれ動作し、適宜必要なデータやプログラムが記憶部から読込まれて前述のメニュー画面等がユーザＩ／Ｆ部２１０に出力されるように構成されている。
【００４７】
このように構成された画像読取装置２が読み取り画像のプレビュー及び画質調整に基づきＡＤＦ２１にセットされた複数枚からなる原稿２０の画像を読み取る動作について図３の流れ図を参照し説明する。
【００４８】
図３に示すように、画像読取装置２は、画像読取装置２のＡＤＦ２１の給紙台２２に複数枚からなる原稿２０がセットされ、ユーザＩ／Ｆ部２１０で「プレビュー読取りモード」による画像読み取りが指示されると、給紙台２２にセットされた原稿２０から１枚目の原稿を画像読取部２０２へ搬送する。
【００４９】
具体的には、ユーザＩ／Ｆ部２１０の図示せぬ画面には、メニュー画面が表示されており、メニュー画面で「プレビュー読取りモード」が選択されることでプレビューによる画像読取り指示信号がユーザＩ／Ｆ部２１０から図示せぬ制御部へ転送され、制御部がＡＤＦ制御部２０１に対して「プレビュー読取りモード」に対応する画像読取指示を行う。
【００５０】
ＡＤＦ制御部２０１は、ＡＤＦ２１に対して給紙台２２にセットされた原稿２０の１枚目の原稿（説明の便宜上、「原稿２０−１」という。）を画像読取部２０２へ搬送するように指示し、ＡＤＦ２１により１枚目の原稿２０−１が画像読取部２０２へ搬送される。  画像読取部２０２は、原稿２０−１が搬送されてきたことを検知し、原稿２０−１の表面を光学的に走査して原稿２０−１の表面に形成された画像を読み取り（ステップＳ３０１）、読み取った画像データを画像データ保存部２０３に記憶保持させるとともに画質調整部２０５へ転送する（ステップＳ３０２）。
【００５１】
画質調整部２０５は、画像読取部２０２から転送されてきた画像データに対して画質パラメータ保存部２０４に予め記憶保持されている画質パラメータに対応した画像処理を行い、画像処理後の画像データを画像ファイル生成部２０６へ転送する（ステップＳ３０３）。
【００５２】
画像ファイル生成部２０６は、画質調整部２０５で画像処理された画像データを汎用のアプリケーションソフト（例えばクライアントＰＣ３に実装されているイメージビューア３２）で参照可能なファイル形式の画像データに変換し、電子メール送信部２０８へ転送する（ステップＳ３０４）。
【００５３】
電子メール送信部２０８は、画像ファイル生成部２０６で所定のファイル形式に変換された画像データを予め作成された電子メールの本文データに添付ファイルとして添付し、予め登録選択された電子メールの送信先（例えばクライアントＰＣ３）へ送信する（ステップＳ３０５）。
【００５４】
電子メールの本文データは、図示せぬ記憶部に予め作成されて記憶保持されており、電子メール送信部２０８が記憶部から当該本文データを読み込み、画像データを添付ファイルとして添付する。
【００５５】
電子メール送信部２０８から電子メール送信先（例えばクライアントＰＣ３）宛てに送信された電子メールは、ネットワークＩ／Ｆ部２０９を経由して送信され、イントラネット５を介して電子メールサーバ４に記憶保持される。
【００５６】
一方、電子メールの送信先（例えばクライアントＰＣ３）では、電子メールサーバ４に対して画像読取装置２から送信された電子メールの受信要求を自装置が実装するメーラー３１により行い、受信した電子メールを開いて電子メール本文に記述されているガイダンスに従い、添付ファイルの画像データのプレビューを行う（ステップＳ３０６）。
【００５７】
図４は、電子メール送信先（例えばクライアントＰＣ３）で受信された電子メールの本文の一例を示す図であり、図４に示すように、画像読取装置２から送信された電子メールが送信先（例えばクライアントＰＣ３）で受信されて開かれると、電子メールの本文４００には、添付ファイル情報４０２（例えば「ｉｍａｇｅ１２３４．ｊｐｅｇ」）と、添付ファイルの画像データに対する判定を行うためのＵＲＬ（＝Ｕｎｉｆｏｒｍ  Ｒｅｓｏｕｒｃｅ  Ｌｏｃａｔｏｒ）情報４０１（例えばｈｔｔｐ：／／１２３．１２３．１２３．１／ｈａｎｔｅｉ１２３４．ｈｔｍｌ）と、ガイダンス情報（例えば、次のＵＲＬをクリックして、受信画像に対する判定を行ってください。など）が記述されている。
【００５８】
このガイダンス情報に従い、添付ファイル情報４０２をクリックして自装置（この場合は、クライアントＰＣ３）が実装するイメージビューア３２により画像データを自装置の図示せぬ画面上に表示させ、画像データの画質等の確認後、画像データに対する判定を電子メール本文４００に記述されたＵＲＬ情報４０１にアクセスして行う。
【００５９】
ＵＲＬ情報４０１には、画像読取装置２の埋込みＷｅｂサーバ２０７に蓄積された各種情報にアクセスするためのアドレス情報が記述されており、このＵＲＬ情報４０１をクリックするかまたはＷｅｂブラウザ３３でＵＲＬ情報４０１（例えばｈｔｔｐ：／／１２３．１２３．１２３．１／ｈａｎｔｅｉ１２３４．ｈｔｍｌ）を入力して埋込みＷｅｂサーバ２０７にアクセスすることで図５に示すような判定入力画面５００が自装置の図示せぬ画面上に表示される。
【００６０】
図５に示すように、判定入力画面５００には、添付ファイル情報５０１（例えば”ｉｍａｇｅ１２３．ｉｐｇ”）の画像データの画質で連続読み取りしても良ければ「ＯＫ」を、画質調整する場合は「画質調整」をクリック選択するように促すメッセージと、各選択ボタン（「ＯＫ」、「画質調整」）とで構成され、何れかの選択ボタンが選択されるように構成されている。
【００６１】
添付ファイル情報５０１（例えば”ｉｍａｇｅ１２３．ｉｐｇ”）の画像データのプレビューの結果、画質に問題ありとユーザが判断し、判定入力画面５００で「画質調整」を選択した場合は（ステップＳ３０７でＮＯ）、埋込みＷｅｂサーバ２０７が埋込みＷｅｂサーバ２０７に蓄積された画像読取装置２の画質パラメータを変更する図示せぬ画質パラメータ設定画面をクライアントＰＣ３に表示させ、ユーザに対して画質パラメータの設定操作を行わせて画質調整を行う（ステップＳ３０８）。
【００６２】
具体的には、ユーザによる画質パラメータ設定画面での画質パラメータの設定終了後、プレビューが指示されると、設定された画質パラメータとプレビュー指示が電子メールの送信先（例えばクライアントＰＣ３）からイントラネット５及び画像読取装置２のネットワークＩ／Ｆ部２０９、埋込みＷｅｂサーバ２０７を介して画質調整部２０５へ入力される。
【００６３】
画質調整部２０５は、画質パラメータ保存部２０４に記憶保持されている画質パラメータを埋込みＷｅｂサーバ２０７を介して入力された画質パラメータで更新し、画質の調整を行う。
【００６４】
ステップＳ３０８において、画質調整が実施されると、前述のステップＳ３０３乃至ステップＳ３０７の動作を画像データのプレビュー結果の判定が良し「ＯＫ」となるまで繰り返される。
【００６５】
具体的には、画像データ保存部２０３から読み込んだ原稿２０−１の画像データに対して更新された画質パラメータに対応した画像処理を実施後、画像ファイル生成部２０６へ転送し、画像ファイル生成部２０６で汎用アプリケーションソフト（例えばイメージビューア３２）で参照可能なファイル形式の画像データに変換後、電子メール送信部２０８で電子メールの本文データに添付ファイルとして添付して電子メール送信先（例えばクライアントＰＣ３）へ送信する。
【００６６】
一方、電子メールの送信先（例えばクライアントＰＣ３）では、電子メールに添付された画質調整後の画像データのプレビューを行い、画像データの画質が問題なしと判断されるまで画質の調整と、プレビューの動作が繰り返し行われる。
【００６７】
ステップＳ３０７において、電子メールに添付された画像データのプレビューの結果、画像データの画質が問題なしと判断され、判定入力画面５００で「ＯＫ」を選択した場合は（ステップＳ３０７でＹＥＳ）、選択された「ＯＫ」指示が電子メールの送信先（例えばクライアントＰＣ３）からイントラネット５及び画像読取装置２のネットワークＩ／Ｆ部２０９、埋込みＷｅｂサーバ２０７を介して画質調整部２０５へ入力される。
【００６８】
画質調整部２０５は、画像データ保存部２０３に記憶保持された原稿２０−１の画像データを読み込み、当該画像データに対して画質パラメータ保存部２０４に記憶保持されている画質パラメータに対応した画像処理を行い、画像ファイル生成部２０６へ転送する（ステップＳ３０９）。
【００６９】
また、原稿２０−１の画像データが画像処理されて画像ファイル生成部２０６へ転送されると、ＡＤＦ２１は、ＡＤＦ制御部２０１の指示に基づきＡＤＦ２１にセットされた原稿２０の残りの全ての原稿（２枚目以降の原稿）を１枚ずつ画像読取部２０２へ順次搬送し、画像読取部２０２が順次搬送されてくる各原稿２０の画像を読み取って画質調整部２０５へ順次転送し、画質調整部２０５が順次転送されてくる画像データに対して画質パラメータ保存部２０４に記憶保持されている画質パラメータに対応した画像処理を行い、画像ファイル生成部２０６へ順次転送する（ステップＳ３１０）。
【００７０】
画像ファイル生成部２０６は、画質調整部２０５から順次転送されてくる原稿２０の画像データを汎用のアプリケーションソフト（例えばイメージビューア３２）で参照可能なファイル形式の画像データに順次変換し、原稿２０の全ての画像データを所定のファイル形式に変換後、１つのファイルにして添付ファイルとして電子メールに添付し、送信先に送信する（ステップＳ３１１、ステップＳ３１２）。
【００７１】
このように画像読取装置２のＡＤＦ（自動原稿搬送装置）より搬送される原稿のうちのプレビュー対象の原稿から読み取った画質調整前の画像を所定の記憶部に記憶保持し、記憶部に保持された画像を用いて画質調整と、そのプレビューを行うので原稿の画像を再読み取りすることなく何回でも繰り返し行うことができる。
【００７２】
以上の説明では、原稿から読み取ったプレビューのための画像データと、プレビュー結果に基づく画質調整完了後の画像データとの何れの画像データも電子メールで送信する例を示したが、電子メールの通信手段に限定されるものではなく、画像データの送受信ができる通信手段であれば何れの通信手段でもよい。
【００７３】
この場合は、適用する通信手段を画像読取装置２とクライアントＰＣ３及びイントラネット５が備える構成とする。
【００７４】
また、プレビューのための画像データは電子メールで送信し、プレビュー結果に基づく画質調整完了後の画像データの送信は、電子メールではなくＦＴＰ／ＳＭＢなど異なるプロトコルにより送信する構成としてもよい。
【００７５】
また、原稿から読み取ったプレビューのための画像データと、プレビュー結果に基づく画質調整完了後の画像データとの送信先が異なる構成としてもよい。
【００７６】
また、送信先の装置はクライアントＰＣ３に限られるものではなく、メーラー３１、イメージビューア３２、Ｗｅｂブラウザ３３を有する端末であれば、携帯電話、ＰＤＡ、その他の端末等でもよい。
【００７７】
また、画像読取装置２は、複写機能、ファックス通信機能、印刷機能等を備えたマルチファンクション機器（複合機）の画像読取装置として実装され、前述のマルチファンクション機器の画像読取装置と、クライアントＰＣ（＝パソコン）３と、メールサーバ４とがイントラネット５を介して接続された構成としてもよい。
【図面の簡単な説明】
【００７８】
【図１】本発明に係わる画像読取装置２で構成された画像読取システム１のシステム構成の一例を示す図
【図２】画像読取装置２の要部の機能的なブロックを示すブロック図
【図３】ＡＤＦ２１にセットされた原稿２０のプレビュー結果に基づく画質調整または連続読取りを行う動作の流れ図
【図４】受信された電子メールの本文の一例を示す図
【図５】判定入力画面５００の一例を示す図
【符号の説明】
【００７９】
１      画像読取システム
２      画像読取装置
３      クライアントＰＣ
４      メールサーバ
５      イントラネット
２０    原稿
２１    ＡＤＦ
２２    給紙台
３１    メーラー
３２    イメージビューア
３３    Ｗｅｂブラウザ
２０１  ＡＤＦ制御部
２０２  画像読取部
２０３  画像データ保存部
２０４  画質パラメータ保存部
２０５  画質調整部
２０６  画像ファイル生成部
２０７  埋込みＷｅｂサーバ
２０８  電子メール送信部
２０９  ネットワークＩ／Ｆ部
２１０  ユーザＩ／Ｆ部
４００  電子メールの本文
４０１  ＵＲＬ情報４０１
４０２、５０１  添付ファイル情報
５００  判定入力画面
【図１】
2008135843.tif 000003
【図２】
2008135843.tif 000004
【図３】
2008135843.tif 000005
【図４】
2008135843.tif 000006
【図５】
2008135843.tif 000007